(57)【要約】【課題】利用者が希望する加入者情報に応じた位置情報を提供することを可能とする。【解決手段】無線端末の位置情報を前記無線端末が接続する無線基地局から受信し、前記無線端末の加入者情報を取得し、前記無線端末の前記位置情報、前記位置情報の測定時刻、および、前記加入者情報を対応付けた加入者位置情報を位置情報記憶部に記憶させ、入力された所定の要求信号に応じて前記加入者位置情報を出力する。【選択図】      図１
2017192058.tif 000002
【特許請求の範囲】
【請求項１】
無線端末の位置情報を前記無線端末が接続する無線基地局から受信する位置情報受信部と、
前記無線端末の加入者情報を取得する加入者情報取得部と、
前記無線端末の前記位置情報、前記位置情報の測定時刻、および、前記加入者情報を対応付けた加入者位置情報を位置情報記憶部に記憶させる制御部と、
入力された所定の要求信号に応じて前記加入者位置情報を出力する出力部と
を備えることを特徴とする位置情報収集装置。
【請求項２】
前記出力部は、前記要求信号が要求した前記加入者情報あるいは時間帯に対応する前記加入者位置情報を出力する
ことを特徴とする請求項１に記載の位置情報収集装置。
【請求項３】
前記無線端末の前記位置情報および前記測定時刻とから前記無線端末の移動速度を算出し、前記移動速度に基づいて移動種別を推定する移動種別推定部
をさらに備え、
前記加入者位置情報は、前記移動種別を含み、
前記出力部は、前記要求信号が要求した前記移動種別に対応する前記加入者位置情報を出力する
ことを特徴とする請求項１あるいは請求項２に記載の位置情報収集装置。
【請求項４】
前記位置情報は、監視エリアに含まれる
ことを特徴とする請求項１から請求項３のいずれかに記載の位置情報収集装置。
【請求項５】
請求項１から請求項４のいずれかに記載の位置情報収集装置と、
前記無線基地局と
を備えることを特徴とする位置情報収集システム。
【請求項６】
前記無線基地局は、
監視エリア情報および測定周期を含む監視情報を受信する監視情報受信部と、
自身と接続する前記無線端末へ前記測定周期を含む監視指示を送信する監視指示送信部と、
前記無線端末から前記位置情報および前記位置情報の前記測定時刻を受信する位置情報受信部と、
前記監視エリア情報が示す監視エリアに含まれる前記位置情報および前記測定時刻を送信する位置情報送信部と、
を備えることを特徴とする請求項５に記載の位置情報収集システム。
【請求項７】
前記監視情報を前記無線基地局へ送信する管理装置
をさらに備え、
前記無線基地局の前記監視情報受信部は、前記監視情報を前記管理装置から受信する
ことを特徴とする請求項６に記載の位置情報収集システム。
【請求項８】
前記管理装置が前記監視情報を送信する前記無線基地局は、前記監視エリア情報が示す監視エリアの少なくとも一部をそのセルに含む前記無線基地局である
ことを特徴とする請求項７に記載の位置情報収集システム。
【請求項９】
無線端末の位置情報を前記無線端末が接続する無線基地局から受信し、
前記無線端末の加入者情報を取得し、
前記無線端末の前記位置情報、前記位置情報の測定時刻、および、前記加入者情報を対応付けた加入者位置情報を位置情報記憶部に記憶させ、
入力された所定の要求信号に応じて前記加入者位置情報を出力する
ことを特徴とする位置情報収集方法。
【請求項１０】
コンピュータに、
無線端末の位置情報を前記無線端末が接続する無線基地局から受信する位置情報受信機能と、
前記無線端末の加入者情報を取得する加入者情報取得機能と、
前記無線端末の前記位置情報、前記位置情報の測定時刻、および、前記加入者情報を対応付けた加入者位置情報を位置情報記憶部に記憶させる制御機能と、
入力された所定の要求信号に応じて前記加入者位置情報を出力する出力機能と
を実現させることを特徴とする位置情報収集プログラム。
【発明の詳細な説明】
【技術分野】
【０００１】
本発明は、無線端末の位置情報を収集する、位置情報収集装置、システム、方法およびプログラムに関する。
【背景技術】
【０００２】
商業施設を新規で出店する際や道路整備などのために人の往来を調査する方法として、交通量調査を挙げることができる。
【０００３】
多く用いられる交通量調査方法には、交通量を調査したい場所に調査員を配置し、人の往来を調査員が目視で確認する、あるいは、ビデオ撮影したものを後で専任者が確認する方法がある。
【０００４】
しかし、この方法では、調査を人手で行うため、多くの人件費や調査に時間がかかってしまう。さらに、広い調査範囲での調査や、交通量の多いところでの調査や、性別や年代など細かな種別の調査をしようとすると、より一層人件費や処理にかかる時間が増してしまう。
【０００５】
また、調査員を配置した地点でのみ調査を行うため、人の流れを調査できないという課題もある。たとえ調査員を増やし、測定地点を増やしたとしても、個人がどのように動いてどこに行ったかという情報を収集することはできない。このように、汎用性に乏しい端点データしか取得できないという課題がある。
【０００６】
これに対して、無線基地局と無線端末の測定情報を用いて人の往来を調査する方法が、特許文献１から特許文献５に記載されている。
【０００７】
特許文献１に記載の方法では、指定したセル内に無線端末があるか否かという情報を取得し、人流量の調査に利用する。この方法では、測定セル内への入域を契機に測定を開始し、測定セル外への出域を契機に測定を終了する。また、測定セル内に無線端末がある間は、無線基地局が無線端末に対して周期的に在圏していることを確認する。
【０００８】
しかし、特許文献１に記載の方法は、ある無線端末に対してそのセル内に在圏しているか否かを取得するため、セル内の移動を詳細に測定することができない。
【０００９】
セル内の移動を詳細に測定できないという問題を解決する方法としては、特許文献２から特許文献４に記載の方法がある。
【００１０】
特許文献２および特許文献３に記載の方法は、測定対象者の行動を取得し、監視するものである。まず、測定対象者の行動経路と通過予測時刻をあらかじめ登録しておく。そして、測定対象者に無線端末を所持させ、一定の間隔で位置情報を報告させる。位置情報を取得した情報処理サーバは、それを予測経路と予測時刻と照らし合わせる。もし予測値と実測値が一致しなければ、前者は警告として管理者にＥメールを送信し、後者は測定対象者の無線端末に警告を出す。
【００１１】
また、特許文献４に記載の方法は、各人がそれぞれの出発地から目的地まで到着するのに、どれくらいの速度で移動したのかを測定するものである。この方法では、不特定多数の個人が所有する無線端末から、位置情報を定期的に取得する。ある無線端末が一定時間同じ場所に留まり続けている場合、その場所を出発地もしくは目的地とする。さらに、無線端末の移動が確認されたときに、位置情報と取得間隔から移動速度を算出する。
【００１２】
特許文献２から特許文献４に記載の方法では、無線端末の位置情報を取得するため、セル内の移動を詳細に測定できないという特許文献１に記載の方法の問題点は解決されている。しかし、特許文献２から特許文献４に記載の方法は、位置測定の契機がないため、特定の個人または不特定多数の個人の位置情報を常に取得し続けてしまい、取得時間が長くなると取得する情報量が膨大となってしまう。
【００１３】
取得時間が長くなると情報量が膨大となる問題を低減する方法としては、特許文献５に記載の方法がある。
【００１４】
特許文献５に記載の方法は、警告領域内にいる無線端末を特定するものである。ロケーションデータベースが無線端末の位置情報を格納し、警告アプリケーションからの要求に応じて領域内の無線端末の情報を通知している。
【００１５】
この方法では、警告領域内の情報のみを取得するため、特許文献２から特許文献４に記載の方法のような、情報量が膨大になる問題は低減されている。
【先行技術文献】
【特許文献】
【００１６】
【特許文献１】特開２００２−３３４１９７号公報
【特許文献２】特開２００４−１８５３２９号公報
【特許文献３】特開２００８−２４２５５６号公報
【特許文献４】特開２００５−１１５５５７号公報
【特許文献５】特表２０１０−５１４３４４号公報
【発明の概要】
【発明が解決しようとする課題】
【００１７】
しかし、特許文献５に記載の方法では、警告領域内に存在する無線端末を特定することはできるが、加入者の性別や年代といった加入者情報は不明のため、取得した位置情報を加入者情報により分類して利用者に提供することができない。
【００１８】
本発明の目的は、利用者が希望する加入者情報に応じた位置情報を提供することを可能とする、位置情報収集装置、システム、方法およびプログラムを提供することにある。
【課題を解決するための手段】
【００１９】
上述の問題を解決するために、本発明の位置情報収集装置は、無線端末の位置情報を前記無線端末が接続する無線基地局から受信する位置情報受信部と、前記無線端末の加入者情報を取得する加入者情報取得部と、前記無線端末の前記位置情報、前記位置情報の測定時刻、および、前記加入者情報を対応付けた加入者位置情報を位置情報記憶部に記憶させる制御部と、入力された所定の要求信号に応じて前記加入者位置情報を出力する出力部とを備えることを特徴とする。
【００２０】
また、本発明の位置情報収集方法は、無線端末の位置情報を前記無線端末が接続する無線基地局から受信し、前記無線端末の加入者情報を取得し、前記無線端末の前記位置情報、前記位置情報の測定時刻、および、前記加入者情報を対応付けた加入者位置情報を位置情報記憶部に記憶させ、入力された所定の要求信号に応じて前記加入者位置情報を出力することを特徴とする。
【００２１】
また、本発明の位置情報収集プログラムは、コンピュータに、無線端末の位置情報を前記無線端末が接続する無線基地局から受信する位置情報受信機能と、前記無線端末の加入者情報を取得する加入者情報取得機能と、前記無線端末の前記位置情報、前記位置情報の測定時刻、および、前記加入者情報を対応付けた加入者位置情報を位置情報記憶部に記憶させる制御機能と、入力された所定の要求信号に応じて前記加入者位置情報を出力する出力機能とを実現させることを特徴とする。
【発明の効果】
【００２２】
本発明の位置情報収集装置、システム、方法およびプログラムにより、利用者が希望する加入者情報に応じた位置情報を提供することが可能になる。
【図面の簡単な説明】
【００２３】
【図１】本発明の第一および第二の実施形態の位置情報収集装置の構成例を示す図である。
【図２】本発明の第一の実施形態の位置情報収集装置の動作例を示す図である。
【図３】本発明の第二の実施形態の位置情報収集システムの構成例を示す図である。
【図４】本発明の第二の実施形態の管理装置の構成例を示す図である。
【図５】本発明の第二の実施形態の監視エリアと無線基地局の関係の例を示す図である。
【図６】本発明の第二の実施形態の無線基地局の構成例を示す図である。
【図７】本発明の第二の実施形態の無線端末の構成例を示す図である。
【図８】本発明の第二の実施形態の位置情報収集システムの動作例を示す図である。
【図９】本発明の第三の実施形態の位置情報収集装置の構成例を示す図である。
【図１０】本発明の第三の実施形態の移動速度と移動種別の対応関係の例を示す図である。
【図１１】本発明の第三の実施形態の位置情報収集装置の動作例を示す図である。
【図１２】本発明の各実施形態のハードウェア構成例を示す図である。
【発明を実施するための形態】
【００２４】
［第一の実施形態］
本発明の第一の実施の形態について説明する。
【００２５】
図１に本実施形態の位置情報収集装置１０の構成例を示す。本実施形態の位置情報収集装置１０は、位置情報受信部１１、加入者情報取得部１２、制御部１３、位置情報記憶部１４および出力部１５により構成される。
【００２６】
位置情報受信部１１は、無線端末の位置情報を無線端末が接続する無線基地局から受信する部分である。加入者情報取得部１２は、無線端末の加入者情報を取得する部分である。制御部１３は、無線端末の位置情報、位置情報の測定時刻、および、加入者情報を対応付けた加入者位置情報を位置情報記憶部１４に記憶させる部分である。出力部１５は、入力された所定の要求信号に応じて加入者位置情報を出力する部分である。
【００２７】
このように位置情報収集装置１０を構成することによって、位置情報収集装置１０は、無線端末の位置情報、位置情報の測定時刻、および、加入者情報を対応付けた加入者位置情報を位置情報記憶部に記憶させる。そして、位置情報収集装置１０は、入力された所定の要求信号に応じて加入者位置情報を出力する。そのため、利用者が希望する加入者情報に応じた位置情報を提供することが可能になる。
【００２８】
次に、図２に本実施形態の位置情報収集装置１０の動作の例を示す。
【００２９】
位置情報受信部１１は、無線端末の位置情報を無線端末が接続する無線基地局から受信する（ステップＳ１０１）。加入者情報取得部１２は、無線端末の加入者情報を取得する（ステップＳ１０２）。制御部１３は、無線端末の位置情報、位置情報の測定時刻、および、加入者情報を対応付けた加入者位置情報を位置情報記憶部１４に記憶させる（ステップＳ１０３）。出力部１５は、入力された所定の要求信号に応じて加入者位置情報を出力する（ステップＳ１０４、Ｓ１０５）。
【００３０】
このように位置情報収集装置１０を動作させることによって、位置情報収集装置１０は、無線端末の位置情報、位置情報の測定時刻、および、加入者情報を対応付けた加入者位置情報を位置情報記憶部に記憶させる。そして、位置情報収集装置１０は、入力された所定の要求信号に応じて加入者位置情報を出力する。そのため、利用者が希望する加入者情報に応じた位置情報を提供することが可能になる。
【００３１】
以上で説明したように、本発明の第一の実施形態では、無線端末の位置情報、位置情報の測定時刻、および、加入者情報を対応付けた加入者位置情報を位置情報記憶部に記憶させ、入力された所定の要求信号に応じて加入者位置情報を出力する。そのため、利用者が希望する加入者情報に応じた位置情報を提供することが可能になる。
【００３２】
［第二の実施形態］
次に、本発明の第二の実施の形態について説明する。本実施形態では、第一の実施形態の位置情報収集装置についてより具体的に説明する。
【００３３】
まず、図３に、本実施形態の位置情報収集装置１０を用いた位置情報収集システムの構成例を示す。
【００３４】
本実施形態の位置情報収集システムは、利用者端末６、管理装置５０、位置情報収集装置１０、加入者情報データベース７、無線基地局３０および無線端末４０により構成される。無線基地局３０は図３では無線基地局３０Ａと無線基地局３０Ｂを図示しているが、特に構成数に制限はない。また、無線端末４０も、図３では１台を図示しているが、特に台数に制限はない。
【００３５】
利用者端末６は、交通量調査など、位置情報収集システムが収集する位置情報を利用したい利用者が、監視エリアなど、位置情報の監視に必要な監視情報を入力するための端末である。利用者端末６には、パーソナルコンピュータやタブレットコンピュータなどの情報通信端末を利用可能である。
【００３６】
監視エリアは、利用者が位置情報収集システムに対して、交通量などを調査する対象として指定した地点あるいは地域である。利用者が道路や線路を監視エリアとして指定した場合、進行方向を指定できるようにしても良い。また、複数の監視エリアを指定できるようにしても良い。
【００３７】
管理装置５０は、位置情報収集システムの管理を行う装置である。管理装置５０では、利用者端末６から監視エリアなどの監視情報を受信する。そして、監視エリアをセル範囲（通信範囲）に含む無線基地局３０（図３では無線基地局３０Ａおよび無線基地局３０Ｂ）に監視情報を送信する。
【００３８】
無線基地局３０（無線基地局３０Ａ、無線基地局３０Ｂ）は、移動体通信網の無線基地局に該当する。無線基地局３０は、管理装置５０から監視情報を受信して、自身に接続している無線端末４０へ位置情報の監視指示を送信する。また、無線端末４０から受信した位置情報のうち、監視エリアに含まれる無線端末４０の位置情報を位置情報収集装置１０へ送信する。
【００３９】
無線端末４０は、無線基地局３０からの監視指示に従って位置情報を取得し無線基地局３０へ送信する。
【００４０】
加入者情報データベース７は、無線端末４０の各々について、無線端末４０に対応する加入者の情報、たとえば、性別、年齢、年代などの情報を記憶したデータベースである。
【００４１】
位置情報収集装置１０は、受信した位置情報を記憶し、入力された所定の要求信号に応じて収集した情報を出力する装置である。位置情報収集装置１０では、無線基地局３０（無線基地局３０Ａおよび無線基地局３０Ｂ）から受信した位置情報を、加入者情報データベース７から取得した無線端末４０の加入者情報と合わせて記憶する。なお、位置情報収集装置１０は、管理装置５０と一体化しても良い。
【００４２】
次に、図４に本実施形態の管理装置５０の構成例を示す。管理装置５０は、監視情報受信部５１、無線基地局決定部５２、監視情報送信部５３により構成される。
【００４３】
監視情報受信部５１は、利用者端末６から監視エリアなどの監視情報を受信する部分である。本実施形態では、利用者が利用者端末６を使用して入力した監視エリアの情報が監視情報受信部５１に入力されるものとする。
【００４４】
また、本実施形態では、位置情報の測定周期および報告周期についても利用者端末６から入力されるものとする。測定周期は、無線端末４０が位置情報を測定する周期である。また、報告周期は、無線端末４０から無線基地局３０へ位置情報を報告する周期である。無線端末４０が位置情報を取得する都度無線基地局３０へ位置情報を報告しても良いが、その場合、無線端末４０から無線基地局３０へのトラフィックが増大する。そのため、本実施形態では、報告周期を設けて、トラフィックの軽減を図る。また、監視情報として、監視開始時刻や監視終了時刻を指定できるようにしても良い。
【００４５】
無線基地局決定部５２は、監視エリアに基づいて位置情報収集を行う無線基地局３０を決定する部分である。本実施形態では、監視エリアで指定された地点または地域を網羅するような測定セルを一つ以上選択する。測定セルを一つも選択できない場合は、その旨を監視情報受信部５１経由で利用者端末６に対して通知する。なお、管理装置５０はあらかじめ各無線基地局３０のセル範囲を記憶しているものとする。
【００４６】
図５に、監視エリアと無線基地局との関係の例を示す。この例の場合、監視エリアは無線基地局３０Ａのセルと無線基地局３０Ｂのセルに含まれている。この例の場合、無線基地局決定部５２は、無線基地局３０Ａと無線基地局３０Ｂを、位置情報収集を行う無線基地局３０として決定する。このように、無線基地局決定部５２では、監視エリアの少なくとも一部をそのセルに含む無線基地局３０を、位置情報収集を行う無線基地局３０として決定する。
【００４７】
そして、監視情報送信部５３では、無線基地局決定部５２が決定した無線基地局３０に対して、監視エリア、測定周期、報告周期等の監視情報を送信する。
【００４８】
次に、図６に本実施形態の無線基地局３０の構成例を示す。本実施形態の無線基地局３０は、監視情報受信部３１、監視指示送信部３２、位置情報受信部３３および位置情報送信部３４により構成される。
【００４９】
監視情報受信部３１は、監視エリア等の監視情報を受信する部分である。本実施形態では、管理装置５０から監視情報を受信する。また、本実施形態では、監視情報として、監視エリア、測定周期、報告周期を受信する。
【００５０】
監視指示送信部３２は、自身に接続する無線端末４０に対して、監視指示を送信する部分である。これにより、自身のセル範囲内に存在する無線端末４０に対して監視指示が送信されることとなる。監視指示送信部３２は、監視指示として、測定周期および報告周期を送信する。
【００５１】
位置情報受信部３３は、無線端末４０から位置情報を受信する部分である。また、位置情報とともに位置情報の測定時刻を受信する。
【００５２】
位置情報送信部３４は、無線端末４０から受信した位置情報のうち、監視エリアに含まれる位置情報を位置情報収集装置１０に送信する部分である。また、位置情報送信部３４は、位置情報とともに、位置情報の測定時刻および無線端末４０の識別情報を位置情報収集装置１０へ送信する。
【００５３】
次に、図７に本実施形態の無線端末４０の構成例を示す。無線端末４０は、監視指示受信部４１、位置情報取得部４２および位置情報送信部４３により構成される。
【００５４】
監視指示受信部４１は、無線基地局３０から位置情報の監視指示を受信する部分である。監視指示受信部４１では、監視指示として、測定周期および報告周期を受信する。また、測定開始時刻や測定終了時刻を受信しても良い。
【００５５】
位置情報取得部４２は、監視指示に応じて無線端末４０の位置情報の取得を行う部分である。本実施形態では、測定周期で位置情報および測定時刻の取得を行う。
【００５６】
位置情報送信部４３は、無線基地局３０へ位置情報取得部４２が取得した位置情報および測定時刻を送信する部分である。位置情報送信部４３では、報告周期で位置情報および測定時刻の送信を行う。また、接続する無線基地局３０が変わる際（ハンドオーバーの際）にも位置情報および測定時刻の送信を行う。
【００５７】
次に、本実施形態の位置情報収集装置１０の構成例について説明する。本実施形態の位置情報収集装置１０の構成例は図１と同様である。
【００５８】
位置情報受信部１１は、無線基地局３０から位置情報および測定時刻を受信する。また、無線端末４０の識別情報も受信する。位置情報受信部１１は、複数の無線基地局３０から位置情報を受信する場合があり得る。
【００５９】
加入者情報取得部１２は、加入者情報データベース７から、受信した無線端末４０の識別情報に対応する加入者情報を取得する。
【００６０】
制御部１３は、位置情報受信部１１が受信した位置情報、測定時刻、加入者情報取得部１２が取得した加入者情報を対応付けた加入者位置情報を位置情報記憶部１４へ記憶させる。
【００６１】
出力部１５は、利用者端末６を介して入力された所定の要求信号に応じて加入者位置情報を出力する。たとえば、利用者が加入者の性別を指定した場合には、その性別に該当する加入者位置情報を利用者端末６に対して出力する。
【００６２】
このように位置情報収集装置１０を構成することによって、位置情報収集装置１０は、無線端末の位置情報、位置情報の測定時刻、および、加入者情報を対応付けた加入者位置情報を位置情報記憶部に記憶させる。そして、位置情報収集装置１０は、入力された所定の要求信号に応じて加入者位置情報を出力する。そのため、利用者が希望する加入者情報に応じた位置情報を提供することが可能になる。
【００６３】
また、本実施形態では、管理装置が監視エリアの少なくとも一部をそのセルに含む無線基地局へ監視情報を送信する。そのため、監視エリアをそのセルに含まない無線基地局に接続する無線端末は位置情報の収集を行わず、全無線端末の位置情報を取得する場合に比べて、収集する情報量を低減することが可能になる。
【００６４】
また、本実施形態では、無線基地局から位置情報収集装置へ送信する位置情報は、監視エリアに含まれる位置情報としている。そのため、位置情報収集装置が収集する位置情報を監視エリアの位置情報のみとし、さらに収集する情報量を低減することが可能になる。
【００６５】
次に、図８を用いて、本実施形態の位置情報収集システムの動作例について説明する。
【００６６】
まず、利用者は、利用者端末６を使用して監視情報（監視エリア情報、測定周期、報告周期）を入力する（ステップＳ２０１）。
【００６７】
管理装置５０は、利用者端末６から監視情報を受信すると、監視エリア情報に基づいて、監視対象とする無線基地局３０を決定する。そして、決定した無線基地局３０へ監視情報（監視エリア情報、測定周期、報告周期）を送信する（ステップＳ２０２）。
【００６８】
無線基地局３０では、測定セル内への無線端末４０の入域を契機に、無線端末４０へ監視指示（測定周期、報告周期）を送信する（ステップＳ２０３、Ｓ２０４）。たとえば、無線基地局３０が無線端末４０から無線環境測定結果の報告を受信し、無線端末４０へハンドオーバー指示を送信する際に、監視指示を送信しても良い。測定開始時点で測定セル内にいる無線端末４０には、測定開始時点で監視指示を送信する。
【００６９】
無線端末４０は、測定周期で位置情報の測定を行う。そして、報告周期で、その間に取得した位置情報および位置情報の測定時刻を無線基地局３０へ送信する（ステップＳ２０５）。なお、無線端末４０において、報告済みの位置情報は消去する。
【００７０】
無線端末４０は、測定セル外へ出域して接続する無線基地局３０が変わる（ハンドオーバー）際には、その前に、未報告分の位置情報および測定時刻を無線基地局３０へ送信する（ステップＳ２０６）。たとえば、無線端末４０から無線基地局３０へ無線環境測定結果を報告する際に、位置情報および測定時刻を送信しても良い。
【００７１】
また、無線端末４０が測定セル内に存在する間に測定を終了する際には、その旨を無線基地局３０から無線端末４０へ通知し、無線端末４０は未報告分の位置情報および測定時刻を無線基地局３０へ送信する。なお、ステップＳ２０４の監視指示において、測定終了時刻を指定しても良い。その場合には、無線端末４０は、測定終了時刻になると、未報告分の位置情報および測定時刻を無線基地局３０へ送信する。
【００７２】
無線基地局３０では、無線端末４０の出域あるいは測定終了を契機に位置情報を受信すると、無線端末４０から受信した位置情報を無線端末４０の識別情報とともに位置情報収集装置１０へ送信する（ステップＳ２０７）。このとき、監視エリアに属する位置情報のみを位置情報収集装置１０へ送信する。
【００７３】
なお、無線基地局３０が無線端末４０から位置情報を受信するたびに位置情報収集装置１０へ位置情報を送信しても良いが、本実施形態ではトラフィックの低減を目的に、無線端末４０の出域あるいは測定終了時に位置情報収集装置１０へ送信する。
【００７４】
位置情報収集装置１０では、無線基地局３０から位置情報を受信すると、加入者情報データベース７から無線端末４０の識別情報に対応する加入者情報（性別、年齢等）を取得する（ステップＳ２０８）。そして、位置情報、位置情報の測定時刻、加入者情報を対応付けた加入者位置情報を位置情報記憶部１４へ記憶させる（ステップＳ２０９）。位置情報は、地図上にマッピングして記憶させても良い。
【００７５】
そして、位置情報収集装置１０は、利用者端末６を介して入力された要求に応じて、位置情報記憶部１４から加入者位置情報を出力する（ステップＳ２１０、Ｓ２１１）。たとえば、利用者が性別を指定した場合には、指定された性別に対応する位置情報を位置情報記憶部１４から取得して利用者端末６へ出力する。その他、加入者の年代や、測定時刻の時間帯などにより位置情報を絞ることが可能である。
【００７６】
このように位置情報収集装置１０を動作させることによって、位置情報収集装置１０は、無線端末の位置情報、位置情報の測定時刻、および、加入者情報を対応付けた加入者位置情報を位置情報記憶部に記憶させる。そして、位置情報収集装置１０は、入力された所定の要求信号に応じて加入者位置情報を出力する。そのため、利用者が希望する加入者情報に応じた位置情報を提供することが可能になる。
【００７７】
以上で説明したように、本発明の第二の実施形態では、第一の実施形態と同様に、無線端末の位置情報、位置情報の測定時刻、および、加入者情報を対応付けた加入者位置情報を位置情報記憶部に記憶させ、入力された所定の要求信号に応じて加入者位置情報を出力する。そのため、利用者が希望する加入者情報に応じた位置情報を提供することが可能になる。
【００７８】
また、本実施形態では、管理装置が監視エリアの少なくとも一部をそのセルに含む無線基地局へ監視情報を送信する。そのため、監視エリアをそのセルに含まない無線基地局に接続する無線端末は位置情報の収集を行わず、全無線端末の位置情報を取得する場合に比べて、収集する情報量を低減することが可能になる。
【００７９】
また、本実施形態では、無線基地局から位置情報収集装置へ送信する位置情報は、監視エリアに含まれる位置情報としている。そのため、位置情報収集装置が収集する位置情報を監視エリアの位置情報のみとし、さらに収集する情報量を低減することが可能になる。
【００８０】
［第三の実施形態］
次に、本発明の第三の実施の形態について説明する。
【００８１】
本実施形態では、位置情報と測定時刻とから算出した無線端末４０の移動速度によって移動種別（移動に利用している交通手段）を推定し、位置情報と対応付けて位置情報記憶部に記憶させる。このようにすると、利用者へ移動種別ごとの位置情報を提供することが可能になる。移動種別ごとの位置情報を提供することが可能になると、たとえば、商業施設の出店が目的の場合は徒歩の人の位置情報、道路整備が目的の場合は車の位置情報、といったように、目的に合った移動手段の位置情報を利用することが可能になる。
【００８２】
まず、図９に本実施形態の位置情報収集装置２０の構成例を示す。位置情報収集装置２０では、図１の位置情報収集装置１０の構成例に移動種別推定部２６を追加している。
【００８３】
移動種別推定部２６は、位置情報と時刻情報とから無線端末４０の移動速度を算出し、移動速度によって移動種別を推定する部分である。移動速度と移動種別の対応関係は、あらかじめ位置情報収集装置２０に記憶させておいても良いし、利用者端末６を介して利用者が位置情報収集装置２０に設定しても良い。また、任意で、線路沿いは電車（に乗車している）と利用者が定義することも可能である。図１０に移動速度と移動種別との対応関係の例を示す。速度と移動種別を対応付け、また、位置情報が線路沿いの場合には移動種別を電車と判断する旨、対応付けている。
【００８４】
制御部１３では、移動種別推定部２６が推定した移動種別を、位置情報、測定時刻、加入者情報と対応付けて位置情報記憶部１４に記憶させる。
【００８５】
そして、出力部１５では、利用者が移動種別を指定した場合に、指定された移動種別に対応する位置情報を位置情報記憶部１４から取得して出力する。
【００８６】
このように位置情報収集装置２０を構成することによって、位置情報収集装置２０は、無線端末の位置情報、位置情報の測定時刻、および、加入者情報を対応付けた加入者位置情報を位置情報記憶部に記憶させる。そして、位置情報収集装置２０は、入力された所定の要求信号に応じて加入者位置情報を出力する。そのため、利用者が希望する加入者情報に応じた位置情報を提供することが可能になる。
【００８７】
また、本実施形態では、さらに、位置情報と測定時刻とから移動速度を算出し、移動速度から移動種別を推定している。そのため、利用者が特定の移動種別の情報を要求した場合に、推定した移動種別に対応する位置情報を出力することが可能になる。
【００８８】
次に、図１１を用いて本実施形態の位置情報収集装置２０の動作例について説明する。図１１のステップＳ３０１は、図２のステップＳ１０２とステップＳ１０３との間に行うものである。なお、本ステップは、図２のステップＳ１０１とステップＳ１０２の間、ステップＳ１０２と同時、ステップＳ１０３の後に行っても良い。
【００８９】
位置情報収集装置２０では、無線基地局３０から位置情報および測定時刻を受信すると、位置情報と測定時刻とから移動速度を算出し、移動種別を推定する（ステップＳ３０１）。そして、ステップＳ１０３において、位置情報収集装置２０は、位置情報、測定時刻、加入者情報と対応付けて移動種別を位置情報記憶部１４へ記憶させる。ステップＳ１０３の後にステップＳ３０１を行う場合には、ステップＳ３０１において、位置情報、測定時刻、加入者情報と対応付けて移動種別を位置情報記憶部１４へ記憶させる。
【００９０】
このように位置情報収集装置２０を動作させることによって、位置情報収集装置２０は、無線端末の位置情報、位置情報の測定時刻、および、加入者情報を対応付けた加入者位置情報を位置情報記憶部に記憶させる。そして、位置情報収集装置２０は、入力された所定の要求信号に応じて加入者位置情報を出力する。そのため、利用者が希望する加入者情報に応じた位置情報を提供することが可能になる。
【００９１】
以上で説明したように、本発明の第三の実施形態では、第一および第二の実施形態と同様に、無線端末の位置情報、位置情報の測定時刻、加入者情報を対応付けた加入者位置情報を位置情報記憶部に記憶させ、入力された所定の要求信号に応じて加入者位置情報を出力する。そのため、利用者が希望する加入者情報に応じた位置情報を提供することが可能になる。
【００９２】
また、本実施形態では、さらに、位置情報と測定時刻とから移動速度を算出し、移動速度から移動種別を推定している。そのため、利用者が特定の移動種別の情報を要求した場合に、推定した移動種別に対応する位置情報を出力することが可能になる。
【００９３】
［ハードウェア構成例］
上述した本発明の各実施形態における位置情報収集装置（１０、２０）を、一つの情報処理装置（コンピュータ）を用いて実現するハードウェア資源の構成例について説明する。なお、位置情報収集装置は、物理的または機能的に少なくとも二つの情報処理装置を用いて実現してもよい。また、位置情報収集装置は、専用の装置として実現してもよい。また、位置情報収集装置の一部の機能のみを情報処理装置を用いて実現しても良い。
【００９４】
図１２は、本発明の各実施形態の位置情報収集装置を実現可能な情報処理装置のハードウェア構成例を概略的に示す図である。情報処理装置８０は、通信インタフェース８１、入出力インタフェース８２、演算装置８３、記憶装置８４および不揮発性記憶装置８５およびドライブ装置８６を備える。
【００９５】
通信インタフェース８１は、各実施形態の位置情報収集装置が、有線あるいは／および無線で外部装置と通信するための通信手段である。なお、位置情報収集装置を、少なくとも二つの情報処理装置を用いて実現する場合、それらの装置の間を通信インタフェース８１経由で相互に通信可能なように接続しても良い。
【００９６】
入出力インタフェース８２は、入力デバイスの一例であるキーボードや、出力デバイスとしてのディスプレイ等のマンマシンインタフェースである。
【００９７】
演算装置８３は、汎用のＣＰＵ（Central Processing Unit）やマイクロプロセッサ等の演算処理装置である。演算装置８３は、たとえば、不揮発性記憶装置８５に記憶された各種プログラムを記憶装置８４に読み出し、読み出したプログラムに従って処理を実行することが可能である。
【００９８】
記憶装置８４は、演算装置８３から参照可能な、ＲＡＭ（Random Access Memory）等のメモリ装置であり、プログラムや各種データ等を記憶する。記憶装置８４は、揮発性のメモリ装置であっても不揮発性のメモリ装置であっても良い。
【００９９】
不揮発性記憶装置８５は、たとえば、ＲＯＭ（Read Only Memory）、フラッシュメモリ、等の、不揮発性の記憶装置であり、各種プログラムやデータ等を記録することが可能である。
【０１００】
ドライブ装置８６は、たとえば、後述する記録媒体８７に対するデータの読み込みや書き込みを処理する装置である。
【０１０１】
記録媒体８７は、たとえば、光ディスク、光磁気ディスク、半導体フラッシュメモリ等、データを記録可能な任意の記録媒体である。
【０１０２】
本発明の各実施形態は、たとえば、図１２に例示した情報処理装置８０により位置情報収集装置を構成し、この位置情報収集装置に対して、上記各実施形態において説明した機能を実現可能なプログラムを供給することにより実現してもよい。
【０１０３】
この場合、位置情報収集装置に対して供給したプログラムを、演算装置８３が実行することによって、実施形態を実現することが可能である。また、位置情報収集装置のすべてではなく、一部の機能を情報処理装置８０で構成することも可能である。
【０１０４】
さらに、上記プログラムを記録媒体８７に記録しておき、位置情報収集装置の出荷段階、あるいは運用段階等において、適宜上記プログラムが不揮発性記憶装置８５に格納されるよう構成してもよい。なお、この場合、上記プログラムの供給方法は、出荷前の製造段階、あるいは運用段階等において、適当な治具を利用して位置情報収集装置内にインストールする方法を採用してもよい。また、上記プログラムの供給方法は、インターネット等の通信回線を介して外部からダウンロードする方法等の一般的な手順を採用してもよい。
【０１０５】
なお、上述する各実施の形態は、本発明の好適な実施の形態であり、本発明の要旨を逸脱しない範囲内において種々変更実施が可能である。
【０１０６】
上記の実施形態の一部または全部は、以下の付記のようにも記載されうるが、以下には限られない。
【０１０７】
（付記１）
無線端末の位置情報を前記無線端末が接続する無線基地局から受信する位置情報受信部と、
前記無線端末の加入者情報を取得する加入者情報取得部と、
前記無線端末の前記位置情報、前記位置情報の測定時刻、および、前記加入者情報を対応付けた加入者位置情報を位置情報記憶部に記憶させる制御部と、
入力された所定の要求信号に応じて前記加入者位置情報を出力する出力部と
を備えることを特徴とする位置情報収集装置。
【０１０８】
（付記２）
前記出力部は、前記要求信号が要求した前記加入者情報あるいは時間帯に対応する前記加入者位置情報を出力する
ことを特徴とする付記１に記載の位置情報収集装置。
【０１０９】
（付記３）
前記加入者情報取得部は、前記無線端末の識別情報と前記加入者情報とを対応付けた加入者情報データベースから前記加入者情報を取得する
ことを特徴とする付記１あるいは付記２に記載の位置情報収集装置。
【０１１０】
（付記４）
前記無線端末の前記位置情報および前記測定時刻とから前記無線端末の移動速度を算出し、前記移動速度に基づいて移動種別を推定する移動種別推定部
をさらに備え、
前記加入者位置情報は、前記移動種別を含み、
前記出力部は、前記要求信号が要求した前記移動種別に対応する前記加入者位置情報を出力する
ことを特徴とする付記１から付記３のいずれかに記載の位置情報収集装置。
【０１１１】
（付記５）
前記加入者情報は、加入者の性別、年齢、年代の少なくとも一つを含む
ことを特徴とする付記１から付記４のいずれかに記載の位置情報収集装置。
【０１１２】
（付記６）
前記位置情報は、監視エリアに含まれる
ことを特徴とする付記１から付記５のいずれかに記載の位置情報収集装置。
【０１１３】
（付記７）
付記１から付記６のいずれかに記載の位置情報収集装置と、
前記無線基地局と
を備えることを特徴とする位置情報収集システム。
【０１１４】
（付記８）
前記無線基地局は、
監視エリア情報および測定周期を含む監視情報を受信する監視情報受信部と、
自身と接続する前記無線端末へ前記測定周期を含む監視指示を送信する監視指示送信部と、
前記無線端末から前記位置情報および前記位置情報の前記測定時刻を受信する位置情報受信部と、
前記監視エリア情報が示す監視エリアに含まれる前記位置情報および前記測定時刻を送信する位置情報送信部と、
を備えることを特徴とする付記７に記載の位置情報収集システム。
【０１１５】
（付記９）
前記監視情報は、さらに、報告周期を含み、
前記監視指示は、さらに、前記報告周期を含む
ことを特徴とする付記８に記載の位置情報収集システム。
【０１１６】
（付記１０）
前記監視情報を前記無線基地局へ送信する管理装置
をさらに備え、
前記無線基地局の前記監視情報受信部は、前記監視情報を前記管理装置から受信する
ことを特徴とする付記８あるいは付記９に記載の位置情報収集システム。
【０１１７】
（付記１１）
前記管理装置が前記監視情報を送信する前記無線基地局は、前記監視エリア情報が示す監視エリアの少なくとも一部をそのセルに含む前記無線基地局である
ことを特徴とする付記１０に記載の位置情報収集システム。
【０１１８】
（付記１２）
無線端末の位置情報を前記無線端末が接続する無線基地局から受信し、
前記無線端末の加入者情報を取得し、
前記無線端末の前記位置情報、前記位置情報の測定時刻、および、前記加入者情報を対応付けた加入者位置情報を位置情報記憶部に記憶させ、
入力された所定の要求信号に応じて前記加入者位置情報を出力する
ことを特徴とする位置情報収集方法。
【０１１９】
（付記１３）
前記要求信号が要求した前記加入者情報あるいは時間帯に対応する前記加入者位置情報を出力する
ことを特徴とする付記１２に記載の位置情報収集方法。
【０１２０】
（付記１４）
前記無線端末の識別情報と前記加入者情報とを対応付けた加入者情報データベースから前記加入者情報を取得する
ことを特徴とする付記１２あるいは付記１３に記載の位置情報収集方法。
【０１２１】
（付記１５）
前記無線端末の前記位置情報および前記測定時刻とから前記無線端末の移動速度を算出し、前記移動速度に基づいて移動種別を推定し、
前記加入者位置情報は、前記移動種別を含み、
前記要求信号が要求した前記移動種別に対応する前記加入者位置情報を出力する
ことを特徴とする付記１２から付記１４のいずれかに記載の位置情報収集方法。
【０１２２】
（付記１６）
前記加入者情報は、加入者の性別、年齢、年代の少なくとも一つを含む
ことを特徴とする付記１２から付記１５のいずれかに記載の位置情報収集方法。
【０１２３】
（付記１７）
前記無線基地局は、監視エリアの少なくとも一部をそのセルに含む前記無線基地局である
ことを特徴とする付記１２から付記１６のいずれかに記載の位置情報収集方法。
【０１２４】
（付記１８）
コンピュータに、
無線端末の位置情報を前記無線端末が接続する無線基地局から受信する位置情報受信機能と、
前記無線端末の加入者情報を取得する加入者情報取得機能と、
前記無線端末の前記位置情報、前記位置情報の測定時刻、および、前記加入者情報を対応付けた加入者位置情報を位置情報記憶部に記憶させる制御機能と、
入力された所定の要求信号に応じて前記加入者位置情報を出力する出力機能と
を実現させることを特徴とする位置情報収集プログラム。
【０１２５】
（付記１９）
前記出力機能は、前記要求信号が要求した前記加入者情報あるいは時間帯に対応する前記加入者位置情報を出力する
ことを特徴とする付記１８に記載の位置情報収集プログラム。
【０１２６】
（付記２０）
前記加入者情報取得機能は、前記無線端末の識別情報と前記加入者情報とを対応付けた加入者情報データベースから前記加入者情報を取得する
ことを特徴とする付記１８あるいは付記１９に記載の位置情報収集プログラム。
【０１２７】
（付記２１）
前記無線端末の前記位置情報および前記測定時刻とから前記無線端末の移動速度を算出し、前記移動速度に基づいて移動種別を推定する移動種別推定機能
をコンピュータにさらに実現させ、
前記加入者位置情報は、前記移動種別を含み、
前記出力機能は、前記要求信号が要求した前記移動種別に対応する前記加入者位置情報を出力する
ことを特徴とする付記１８から付記２０のいずれかに記載の位置情報収集プログラム。
【０１２８】
（付記２２）
前記加入者情報は、加入者の性別、年齢、年代の少なくとも一つを含む
ことを特徴とする付記１８から付記２１のいずれかに記載の位置情報収集プログラム。
【０１２９】
（付記２３）
前記位置情報は、監視エリアに含まれる
ことを特徴とする付記１８から付記２２のいずれかに記載の位置情報収集プログラム。
【符号の説明】
【０１３０】
１０、２０    位置情報収集装置
１１    位置情報受信部
１２    加入者情報取得部
１３    制御部
１４    位置情報記憶部
１５    出力部
２６    移動種別推定部
３０    無線基地局
３１    監視情報受信部
３２    監視指示送信部
３３    位置情報受信部
３４    位置情報送信部
４０    無線端末
４１    監視指示受信部
４２    位置情報取得部
４３    位置情報送信部
５０    管理装置
５１    監視情報受信部
５２    無線基地局決定部
５３    監視情報送信部
６    利用者端末
７    加入者情報データベース
８０    情報処理装置
８１    通信インタフェース
８２    入出力インタフェース
８３    演算装置
８４    記憶装置
８５    不揮発性記憶装置
８６    ドライブ装置
８７    記録媒体
【図１】
2017192058.tif 000003
【図２】
2017192058.tif 000004
【図３】
2017192058.tif 000005
【図４】
2017192058.tif 000006
【図５】
2017192058.tif 000007
【図６】
2017192058.tif 000008
【図７】
2017192058.tif 000009
【図８】
2017192058.tif 000010
【図９】
2017192058.tif 000011
【図１０】
2017192058.tif 000012
【図１１】
2017192058.tif 000013
【図１２】
2017192058.tif 000014